(57)【要約】【課題】スイッチング部３２およびボリウム部３３によって信号レベルを調整することで、後段のデジタルアンプ１で、ΔΣ変調、振幅増幅および低域成分を抽出することによって得られるアナログ信号の信号レベルを所望とする値に調整するようにした電子ボリウム３１において、装置や素子等のコストを削減する。【解決手段】もう１つのスイッチング部３６およびボリウム部３７ならびにΔΣ変調部３８を設ける。したがって、小信号時には、ΔΣ変調部３８にてΔΣ変調されて前記スイッチング部３２に入力される１ビット信号は、データ自体が前記小信号に対応したパルス密度の少ない信号となっている。これによって、前記スイッチング部３２やボリウム部３３にオフセットがあり、そのオフセットによって振幅値の減衰量に制限があっても、デジタルアンプ１からの出力に充分な減衰量を得ることができ、オフセットの対策が不要になり、コストを削減できる。【選択図】  図１
2004186820.tif 000002
【特許請求の範囲】
【請求項１】
信号レベル変換部で１ビット信号の振幅値を変換することで、該１ビット信号のアナログ的な信号レベルを所望とする値に調整するようにした１ビット信号処理装置において、
入力されたアナログ信号または１ビット信号が与えられ、該信号の振幅値を変換することでアナログ的な信号レベルを前記所望とする値に調整するもう１つの信号レベル変換部と、
前記もう１つの信号レベル変換部からの出力をΔΣ変調して、前記信号レベル変換部に与えるΔΣ変調部とを含むことを特徴とする１ビット信号処理装置。
【請求項２】
前記信号レベル変換部およびもう１つの信号レベル変換部は、
前記所望とする値の電圧を供給するボリウム手段と、
入力された１ビット信号に応じて前記ボリウム手段からの電圧をスイッチングすることで、該１ビット信号の振幅値を変換するスイッチング手段と、
前記ボリウム手段の出力電圧を前記所望とする値に変化させる制御信号を出力する制御手段とを含んで構成される電子ボリウム装置で実現されることを特徴とする請求項１記載の１ビット信号処理装置。
【請求項３】
前記信号レベル変換部は、
前記所望とする値の電圧を供給するボリウム手段と、
入力された１ビット信号に応じて前記ボリウム手段からの電圧をスイッチングすることで、該１ビット信号の振幅値を変換するスイッチング手段と、
前記ボリウム手段の出力電圧を前記所望とする値に変化させる制御信号を出力する制御手段とを含んで構成され、
前記もう１つの信号レベル変換部およびΔΣ変調部を１ビット信号のディスク再生装置におけるアッテネータ機能で代用し、
前記制御手段は、前記ディスク再生装置における１ビット信号生成およびアッテネート処理部へも前記制御信号を出力して、前記ボリウム手段ならびに１ビット信号生成およびアッテネート処理部の信号を、振幅値制御ではなく、データ的に変換することで前記所望とする値に連動して制御することを特徴とする請求項１記載の１ビット信号処理装置。
【請求項４】
前記請求項１記載の１ビット信号処理装置を備えるディスク再生装置であって、
前記信号レベル変換部は、
前記所望とする値の電圧を供給するボリウム手段と、
再生された１ビット信号に応じて前記ボリウム手段からの電圧をスイッチングすることで、該１ビット信号の振幅値を変換するスイッチング手段と、
前記ボリウム手段の出力電圧を前記所望とする値に変化させる制御信号を出力する制御手段とを含んで構成され、
前記もう１つの信号レベル変換部およびΔΣ変調部を１ビット信号生成およびアッテネート処理部におけるアッテネータ機能で代用し、
前記制御手段は、前記１ビット信号生成およびアッテネート処理部へも前記制御信号を出力して、前記ボリウム手段ならびに１ビット信号生成およびアッテネート処理部の信号を、振幅値制御ではなく、データ的に変換することで前記所望とする値に連動して制御することを特徴とするディスク再生装置。
【発明の詳細な説明】
【０００１】
【発明の属する技術分野】
本発明は、ΔΣ変調して得られる１ビット信号を処理するための装置およびそれを備えるディスク再生装置に関し、特に前記１ビット信号のアナログ的な信号レベルを所望とする値に調整するボリウム調整のための構成に関する。
【０００２】
【従来の技術】
前記ボリウム調整を実現する手法として、各ビットデータの重みが異なるＰＣＭ（パルス符号変調）信号では、データ自体を変更する必要があるのに対して、ＰＤＭ（パルス密度変調）やＰＷＭ（パルス幅変調）で得られる前記１ビット信号では、各ビットデータの重みが等しく、パルス密度やパルス幅によってアナログ的な信号レベルが表わされるので、”１”，”０”のパルスの振幅と幅とのどちらを調整しても、ローパスフィルタを介して出力されるアナログ信号の振幅値を変化することができる。
【０００３】
一方、最終の出力段に前記１ビット信号に応じて、電源電圧をスイッチングし、ローパスフィルタで平滑化することによって、前記スイッチングをＦＥＴなどのスイッチング素子の飽和域を使用し、高効率に電力増幅を行うデジタルアンプが、高速スイッチング可能な素子の登場によって、広く使用されるようになってきている。
【０００４】
図４に、一般的なデジタルアンプ１の構成を示す。デジタルアンプ１は、アナログ信号と１ビット信号との何れの信号も入力可能となっており、先ず入力された信号をΔΣ変調部２においてΔΣ変調することで、入力信号のアナログ的な信号レベルに対応した１ビット信号を作成する。得られた１ビット信号は、ドライバ回路３に入力され、その１ビット信号に応じてスイッチング部４内の前記ＦＥＴなどがスイッチング駆動され、電源電圧のパルス列が出力される。前記パルス列は、ローパスフィルタ５において平滑化され、アナログ信号に復調されて、スピーカ６などの出力手段から出力される。
【０００５】
ここで、このデジタルアンプ１の増幅度は、約（スイッチング部４に供給する電源電圧値）／（入力信号の振幅値）の比となることから、出力されるアナログ信号のボリウム調整を行うには、大別すると、前記スイッチング回路４に供給する前記電源電圧を変化する方法と、前記電源電圧は一定（該デジタルアンプ１の増幅度は一定）で、該デジタルアンプ１への入力を変化する方法とがある。
【０００６】
前記電源電圧を変化するのは、大掛かりで電源の構成が複雑になり、また電源での損失も大きく、したがって入力信号の振幅値を変化することでボリウム調整が行われることが多い。そして、その入力信号の振幅値を変化する手法をさらに細かく述べると、以下のとおりである。
１．図５で示すように、アナログ入力信号を一般の音量用ボリウム１１で可変する方法。
２．図６で示すように、入力信号をデジタル化し、その振幅値を前記一般の音量用ボリウム１１で可変する方法。
３．図７で示すように、入力信号をデジタル化し、その振幅値を電子ボリウム２１で可変する方法。
４．入力信号をデジタル化し、演算によってデータ自体を変化する方法。
【０００７】
ところで、前記図５および図６で示すように、一般の音量用ボリウム１１を用いる構成では、機械的な調整が必要であり、リモコンによる遠隔操作などのマイコン制御への適性が低い。また、他の回路の集積回路化が進んでも、集積化することができず、コストおよび実装の両面で不利である。一方、前記データ自体を変化する方法では、演算処理が大変である。したがって、前記電子ボリウム２１を用いる方法が、手軽にボリウム調整を行うのに好適である。
【０００８】
そこで、図７の電子ボリウム２１の構成を詳述すると、入力された１ビット信号はスイッチング部２２に入力され、その１ビット信号に応じてボリウム部２３からの電圧をスイッチングすることで、前記１ビット信号の振幅値は前記ボリウム部２３からの電圧に変換され、前記デジタルアンプ１において、再びΔΣ変調され、１ビット信号（一定振幅値）が再構築されると、その１ビット信号はアナログ的な信号レベルが所望とする値に調整されたものとなる。前記ボリウム部２３の出力電圧は、ボリウム指令部２４への設定値に応じて、マイクロコンピュータなどで実現される制御部２５からの制御信号に応じて変化される。
【０００９】
図８は、前記スイッチング部２２およびボリウム部２３の構成を具体的に示し、前記１ビット信号の振幅値の増加減原理の一例を表す図である。前記スイッチング部２２は、２つの個別接点２２ａ，２２ｂと、１つの共通接点２２ｃとを備えるスイッチから成り、一方の個別接点２２ａにはボリウム部２３からの電圧Ｖｂが与えられ、他方の個別接点２２ｂは接地される。入力された１ビット信号に応じて接点２２ｄが切換わることで、共通接点２２ｃからは、入力された１ビット信号に同期して、振幅値の変換された１ビット信号が出力される。
【００１０】
また、前記ボリウム部２３は、可変抵抗素子２６およびバッファアンプ２７から成り、図示しない電源から入力される電圧Ｖａが前記可変抵抗素子２６において、前記制御部２５からの制御信号に応じた電圧Ｖｂに減衰制御され、その電圧Ｖｂがバッファアンプ２７を介して前記スイッチング部２２の一方の個別接点２２ａに与えられる。このようにして、入力された１ビット信号が、前記ボリウム指令部２４への設定値に応じた振幅値に変換される１ビット電子ボリウム装置が構成される。
【００１１】
【発明が解決しようとする課題】
しかしながら、上述のような電子ボリウム装置では、ボリウム値を最小に設定しようとする時、可変抵抗素子２６および／またはバッファアンプ２７等の変換素子のＤＣオフセット出力特性によって、ボリウム部２３の出力電圧Ｖｂの最小値が決定されてしまい、該出力電圧Ｖｂを限りなく０にしようとしても、前記最小値より小さくならないという問題がある。このため、変換された１ビット信号の振幅値もそれ以上小さくなりえず、電子ボリウムとしての減衰量が限定されることになる。
【００１２】
上記の点について詳しく説明すると、たとえば前記変換素子のオフセットが１０ｍＶよりも小さくならないものとすると、出力される１ビット信号の振幅値も該１０ｍＶよりも下がらなくなる。これに対して、可変前の１ビット信号の振幅値を５Ｖとすると，５／０．０１で，約５４ｄＢの減衰量しか得られなくなる。また、前記オフセットが１ｍＶとしても、７４ｄＢの減衰量しか取り得ない。
【００１３】
したがって、１００ｄＢ以上のＣＤ（Ｃｏｍｐａｃｔ  Ｄｉｓｋ）やＳＡＣＤ（Ｓｕｐｅｒ  Ａｕｄｉｏ  Ｃｏｍｐａｃｔ  Ｄｉｓｋ）などの広ダイナミックレンジの信号を、忠実に再生できなくなってしまう。一方、オフセットを前記の値以上小さい領域で管理しようとすると、オフセット特性の優れた素子や調整回路等の付加が必要となり、装置や素子等にコスト的負担がかかるという問題がある。
【００１４】
本発明の目的は、１ビット信号のアナログ的な信号レベルを所望とする値に調整するにあたって、装置や素子等のコストを削減することができる１ビット信号処理装置およびそれを備えるディスク再生装置を提供することである。
【００１５】
【課題を解決するための手段】
本発明の１ビット信号処理装置は、信号レベル変換部で１ビット信号の振幅値を変換することで、該１ビット信号のアナログ的な信号レベルを所望とする値に調整するようにした１ビット信号処理装置において、入力されたアナログ信号または１ビット信号が与えられ、該信号の振幅値を変換することでアナログ的な信号レベルを前記所望とする値に調整するもう１つの信号レベル変換部と、前記もう１つの信号レベル変換部からの出力をΔΣ変調して、前記信号レベル変換部に与えるΔΣ変調部とを含むことを特徴とする。
【００１６】
上記の構成によれば、パルス密度やパルス幅によってアナログ的な信号レベルを表す１ビット信号に対して、電子ボリウム等の信号レベル変換部でその信号レベルを調整することで、後段の増幅部でΔΣ変調、振幅増幅および低域成分を抽出することによって得られるアナログ信号の信号レベルを所望とする値に調整するようにした１ビット信号処理装置において、もう１つの信号レベル変換部およびΔΣ変調部を設ける。前記ΔΣ変調部を設けることで、入力信号として、１ビット信号だけでなく、アナログ信号も可能になる。
【００１７】
そして、前記もう１つの信号レベル変換部でも、前記信号レベル変換部と同様に、入力信号の振幅値を変換してアナログ的な信号レベルを前記所望とする値に調整することで、小信号時には、ΔΣ変調部にてΔΣ変調されて前記信号レベル変換部に入力される１ビット信号は、データ自体が前記小信号に対応した前記パルス密度の少ない信号となっている。
【００１８】
したがって、この１ビット信号を前記信号レベル変換部において、再びアナログ的な信号レベルを前記所望とする値に調整することで、前記信号レベル変換部の変換素子にオフセットがあり、そのオフセットによって振幅値の減衰量に制限があっても、１ビット信号の前記データ自体による減衰と、振幅値の減衰とを組合わせることで、前記後段の増幅部から出力されるアナログ信号に充分な減衰量を得ることができる。これによって、前記オフセットの対策が不要になり、装置や素子等のコストを削減することができる。
【００１９】
また、本発明の１ビット信号処理装置では、前記信号レベル変換部およびもう１つの信号レベル変換部は、前記所望とする値の電圧を供給するボリウム手段と、入力された１ビット信号に応じて前記ボリウム手段からの電圧をスイッチングすることで、該１ビット信号の振幅値を変換するスイッチング手段と、前記ボリウム手段の出力電圧を前記所望とする値に変化させる制御信号を出力する制御手段とを含んで構成される電子ボリウム装置で実現されることを特徴とする。
【００２０】
上記の構成によれば、前記信号レベル変換部およびもう１つの信号レベル変換部を、１ビット信号用の電子ボリウム装置で具体的に実現することができ、また入力信号が１ビット信号の場合は、制御手段を共用して、２つの信号レベル変換部のボリウム手段およびスイッチング手段を同じ構成で実現することができる。
【００２１】
さらにまた、本発明の１ビット信号処理装置では、前記信号レベル変換部は、前記所望とする値の電圧を供給するボリウム手段と、入力された１ビット信号に応じて前記ボリウム手段からの電圧をスイッチングすることで、該１ビット信号の振幅値を変換するスイッチング手段と、前記ボリウム手段の出力電圧を前記所望とする値に変化させる制御信号を出力する制御手段とを含んで構成され、前記もう１つの信号レベル変換部およびΔΣ変調部を１ビット信号のディスク再生装置におけるアッテネータ機能で代用し、前記制御手段は、前記ディスク再生装置における１ビット信号生成およびアッテネート処理部へも前記制御信号を出力して、前記ボリウム手段ならびに１ビット信号生成およびアッテネート処理部の信号を、振幅値制御ではなく、データ的に変換することで前記所望とする値に連動して制御することを特徴とする。
【００２２】
上記の構成によれば、外部に設けられ、前記ＣＤやＳＡＣＤなどを再生し、１ビット信号で出力するディスク再生装置におけるアッテネータ機能を流用して、前記のようなデータ自体の小信号データへの変換を行い、前記もう１つの信号レベル変換部およびΔΣ変調部の機能を実現する。したがって、構成を簡略化することができるとともに、１ビット信号処理装置の負担を軽くすることができる。
【００２３】
また、本発明のディスク再生装置は、上記の１ビット信号処理装置を備えるディスク再生装置であって、前記信号レベル変換部は、前記所望とする値の電圧を供給するボリウム手段と、再生された１ビット信号に応じて前記ボリウム手段からの電圧をスイッチングすることで、該１ビット信号の振幅値を変換するスイッチング手段と、前記ボリウム手段の出力電圧を前記所望とする値に変化させる制御信号を出力する制御手段とを含んで構成され、前記もう１つの信号レベル変換部およびΔΣ変調部を１ビット信号生成およびアッテネート処理部におけるアッテネータ機能で代用し、前記制御手段は、前記１ビット信号生成およびアッテネート処理部へも前記制御信号を出力して、前記ボリウム手段ならびに１ビット信号生成およびアッテネート処理部の信号を、振幅値制御ではなく、データ的に変換することで前記所望とする値に連動して制御することを特徴とする。
【００２４】
上記の構成によれば、前記ＣＤやＳＡＣＤなどを再生し、１ビット信号で出力するディスク再生装置において、該ディスク再生装置に内蔵される１ビット信号生成およびアッテネート処理部のアッテネータ機能を流用して、前記のようなデータ自体の小信号データへの変換を行い、前記もう１つの信号レベル変換部およびΔΣ変調部の機能を実現する。これによって、構成を簡略化することができる。
【００２５】
【発明の実施の形態】
本発明の実施の一形態について、図１および前記図８に基づいて説明すれば、以下のとおりである。
【００２６】
図１は、本発明の実施の一形態の１ビット信号処理装置である電子ボリウム３１の電気的構成を示すブロック図である。この電子ボリウム３１は、大略的に、入力された１ビット信号をボリウム調整された１ビット信号に変換し、前記デジタルアンプ１からスピーカ６などへ出力する。
【００２７】
この電子ボリウム３１では、前記図７で示す電子ボリウム２１のスイッチング部２２、ボリウム部２３、ボリウム指令部２４および制御部２５とそれぞれ同様に構成されるスイッチング部３２、ボリウム部３３、ボリウム指令部３４および制御部３５を備えるとともに、注目すべきは、もう１つのスイッチング部３６およびボリウム部３７ならびにΔΣ変調部３８をさらに備えていることである。
【００２８】
前記スイッチング部３６およびボリウム部３７は、前記スイッチング部３２およびボリウム部３３とそれぞれ同様に構成される。入力された１ビット信号は第１のスイッチング部３６に入力され、その１ビット信号に応じて第１のボリウム部３７からの電圧をスイッチングすることで、前記１ビット信号の振幅値は前記ボリウム部３７からの電圧に変換され、ΔΣ変調部３８において、再びΔΣ変調されることで、データ自体が所望とするボリウム値に対応したものとなる。そのΔΣ変調部３８からの１ビット信号（一定振幅値）は、第２のスイッチング部３２に入力され、その１ビット信号に応じて第２のボリウム部３３からの電圧をスイッチングすることで、前記１ビット信号の振幅値は前記ボリウム部３３からの電圧に変換され、前記デジタルアンプ１において、再びΔΣ変調される。前記ボリウム部３７，３３の出力電圧は、ボリウム指令部３４への設定値に応じて、マイクロコンピュータなどで実現される制御部３５からの制御信号に応じてそれぞれ変化される。
【００２９】
こうして、１ビット信号（一定振幅値）が再々度構築されると、その１ビット信号はアナログ的な信号レベルが所望とする値に調整されたものになるとともに、該１ビット信号の信号レベルを変換する変換素子であるスイッチング部３６，３２およびボリウム部３７，３３が前記図８で示すような構成でオフセットを有していても、小信号時には、ΔΣ変調部３８にてΔΣ変調されることで、デジタルアンプ１へ出力される１ビット信号は、データ自体が前記小信号に対応した前記パルス密度の少ない信号となっている。
【００３０】
このようにして、前記スイッチング部３６，３２およびボリウム部３７，３３にオフセットがあり、そのオフセットによって振幅値の減衰量に制限があっても、１ビット信号の前記データ自体による減衰と、振幅値の減衰とを組合わせることで、後段のデジタルアンプ１から出力されるアナログ信号に充分な減衰量を得ることができる。これによって、前記オフセットの対策が不要になり、装置や素子等のコストを削減することができる。
【００３１】
前記ボリウム部３７，３３は、前記スイッチング部３６，３２が、ボリウム指令部３４の操作に対して同じ電圧出力でよいなら、それらを共通化することができる。
【００３２】
また、前記ボリウム指令部３４の操作から、前記スイッチング部３６，３２およびボリウム部３７，３３による減衰が開始されるけれども、減衰量の時間的比率は、種々の搭載商品の事情に応じて、任意に選択される。すなわち、上述のような組合わせ減衰を実現するにあたって、たとえばどちらか一方を先に減衰すべきか、または両方同時に減衰すべきかなどの減衰配分は、任意に選択されればよい。
【００３３】
なお、前記スイッチング部３６およびボリウム部３７をアナログ入力信号の振幅レベルを調整する電子ボリウムで構成することによって、入力信号をアナログ信号としても、同様に充分な減衰量を得ることができる。
【００３４】
本発明の実施の他の形態について、図２および図３に基づいて説明すれば、以下のとおりである。
【００３５】
図２は、本発明の実施の他の形態の１ビット信号処理装置である電子ボリウム４１の電気的構成を示すブロック図である。この電子ボリウム４１において、上述の電子ボリウム３１に類似し、対応する部分には同一の参照符号を付して、その説明を省略する。注目すべきは、この電子ボリウム４１は、ディスク再生装置４２に搭載されており、該電子ボリウム４１は、前記第２のスイッチング部３２、第２のボリウム部３３、ボリウム指令部３４および制御部３５から構成されており、前記第１のスイッチング部３６、第１のボリウム部３７およびΔΣ変調部３８が、１ビット信号生成およびアッテネート処理部４３におけるアッテネータ機能で代用されていることである。
【００３６】
前記１ビット信号生成およびアッテネート処理部４３は、ＣＤ，ＳＡＣＤ再生ユニット４４において再生された信号から、ＳＡＣＤデコーダ４５でデコードされて得られた１ビット信号と、マルチビットＤ／Ａコンバータ４６でデコードされて得られたマルチビット信号を変換素子４７で変換して得られた１ビット信号との何れか一方を、切換えスイッチ４８から前記第２のスイッチング部３２へ出力する。前記１ビット信号生成およびアッテネート処理部４３には、前記制御部３５からの制御信号が入力され、該１ビット信号生成およびアッテネート処理部４３から出力される１ビット信号の振幅値と前記第２のスイッチング部３２から出力される１ビット信号の振幅値とが、前記所望とする値に連動して制御される。
【００３７】
上述のように構成される１ビット信号生成およびアッテネート処理部４３において、第２のスイッチング部３２の入力となる１ビット信号を減衰する工程を、前記ＳＡＣＤデコーダ４５のアッテネータ機能、マルチビットＤ／Ａコンバータ４６のアッテネータ機能および／または変換素子４７のアッテネータ機能で実現するので、前記第２のスイッチング部３２および第２のボリウム部３３しか備えていない該電子ボリウム４１においても、前記電子ボリウム３１と同様の充分な減衰量を確保することができるとともに、既存の１ビット信号生成およびアッテネート処理部４３の機能を利用して、該電子ボリウム４１の構成を簡略化することができる。
【００３８】
また図３は、前記電子ボリウム４１の他の適用例の電気的構成を示すブロック図である。注目すべきは、この例では、前記電子ボリウム４１は、デジタルアンプ１およびスピーカ６を備えて構成されるアンプシステム５１に搭載され、これに対して前記第１のスイッチング部３６、第１のボリウム部３７およびΔΣ変調部３８によるアッテネータ機能を代わって実現する前記１ビット信号生成およびアッテネート処理部４３が、筐体の異なるディスク再生装置５２に搭載されていることである。
【００３９】
このため、前記制御部３５は、ボリウム指令部３４の操作で音量のボリウム増減を行う際に、電子ボリウム４１での振幅調整とともに、通信制御線５３を介してディスク再生装置５２側の制御部５３と通信を行い、前記１ビット信号生成およびアッテネート処理部４３へ制御信号を出力させ、振幅調整を行わせる。
【００４０】
このような構成では、実質的に前記図７で示す電子ボリウム２１と同様の構成の電子ボリウム４１であっても、制御部３５，５３間を通信制御線５３を介して連動させることで、アッテネータ機能を有するディスク再生装置５２を用いて、前述のような充分な減衰量を確保することができるようになり、構成を簡略化することができるとともに、電子ボリウム４１の負担を軽くすることができる。
【００４１】
【発明の効果】
本発明の１ビット信号処理装置は、以上のように、パルス密度やパルス幅によってアナログ的な信号レベルを表す１ビット信号に対して、電子ボリウム等の信号レベル変換部でその信号レベルを調整することで、後段の増幅部でΔΣ変調、振幅増幅および低域成分を抽出することによって得られるアナログ信号の信号レベルを所望とする値に調整するようにした１ビット信号処理装置において、もう１つの信号レベル変換部およびΔΣ変調部を設け、前記もう１つの信号レベル変換部でも、前記信号レベル変換部と同様に、入力信号の振幅値を変換してアナログ的な信号レベルを前記所望とする値に調整し、ΔΣ変調部にてΔΣ変調されて前記信号レベル変換部に入力される１ビット信号のデータ自体を前記所望とする値に対応したものとする。
【００４２】
それゆえ、小信号時には前記１ビット信号はパルス密度の少ない信号となっており、この１ビット信号を前記信号レベル変換部において、再びアナログ的な信号レベルを前記所望とする値に調整することで、前記信号レベル変換部の変換素子にオフセットがあり、そのオフセットによって振幅値の減衰量に制限があっても、１ビット信号の前記データ自体による減衰と、振幅値の減衰とを組合わせることで、前記後段の増幅部から出力されるアナログ信号に充分な減衰量を得ることができる。これによって、前記オフセットの対策が不要になり、装置や素子等のコストを削減することができる。
【００４３】
また、本発明の１ビット信号処理装置は、以上のように、前記信号レベル変換部およびもう１つの信号レベル変換部を、前記所望とする値の電圧を供給するボリウム手段と、入力された１ビット信号に応じて前記ボリウム手段からの電圧をスイッチングすることで、該１ビット信号の振幅値を変換するスイッチング手段と、前記ボリウム手段の出力電圧を前記所望とする値に変化させる制御信号を出力する制御手段とを含んで構成する。
【００４４】
それゆえ、前記信号レベル変換部およびもう１つの信号レベル変換部を、１ビット信号用の電子ボリウム装置で具体的に実現することができ、また入力信号が１ビット信号の場合は、制御手段を共用して、２つの信号レベル変換部のボリウム手段およびスイッチング手段を同じ構成で実現することができる。
【００４５】
さらにまた、本発明の１ビット信号処理装置は、以上のように、前記信号レベル変換部を、前記所望とする値の電圧を供給するボリウム手段と、入力された１ビット信号に応じて前記ボリウム手段からの電圧をスイッチングすることで、該１ビット信号の振幅値を変換するスイッチング手段と、前記ボリウム手段の出力電圧を前記所望とする値に変化させる制御信号を出力する制御手段とを含んで構成し、前記もう１つの信号レベル変換部およびΔΣ変調部を１ビット信号のディスク再生装置におけるアッテネータ機能で代用し、前記制御手段は、前記ディスク再生装置における１ビット信号生成およびアッテネート処理部へも前記制御信号を出力して、前記ボリウム手段ならびに１ビット信号生成およびアッテネート処理部の信号を、振幅値制御ではなく、データ的に変換することで前記所望とする値に連動して制御する。
【００４６】
それゆえ、外部に設けられ、前記ＣＤやＳＡＣＤなどを再生し、１ビット信号で出力するディスク再生装置におけるアッテネータ機能を流用して、前記のようなデータ自体の小信号データへの変換を行い、前記もう１つの信号レベル変換部およびΔΣ変調部の機能を実現するので、構成を簡略化することができるとともに、１ビット信号処理装置の負担を軽くすることができる。
【００４７】
また、本発明のディスク再生装置は、以上のように、上記の１ビット信号処理装置を備えるディスク再生装置であって、前記信号レベル変換部を、前記所望とする値の電圧を供給するボリウム手段と、再生された１ビット信号に応じて前記ボリウム手段からの電圧をスイッチングすることで、該１ビット信号の振幅値を変換するスイッチング手段と、前記ボリウム手段の出力電圧を前記所望とする値に変化させる制御信号を出力する制御手段とを含んで構成し、前記もう１つの信号レベル変換部およびΔΣ変調部を１ビット信号生成およびアッテネート処理部におけるアッテネータ機能で代用し、前記制御手段は、前記１ビット信号生成およびアッテネート処理部へも前記制御信号を出力して、前記ボリウム手段ならびに１ビット信号生成およびアッテネート処理部の信号を、振幅値制御ではなく、データ的に変換することで前記所望とする値に連動して制御する。
【００４８】
それゆえ、前記ＣＤやＳＡＣＤなどを再生し、１ビット信号で出力するディスク再生装置において、該ディスク再生装置に内蔵される１ビット信号生成およびアッテネート処理部のアッテネータ機能を流用して、前記のようなデータ自体の小信号データへの変換を行い、前記もう１つの信号レベル変換部およびΔΣ変調部の機能を実現するので、構成を簡略化することができる。
【図面の簡単な説明】
【図１】本発明の実施の一形態の１ビット信号処理装置である電子ボリウムの電気的構成を示すブロック図である。
【図２】本発明の実施の他の形態の１ビット信号処理装置である電子ボリウムの電気的構成を示すブロック図である。
【図３】前記図２で示す電子ボリウムの他の適用例の電気的構成を示すブロック図である。
【図４】一般的なデジタルアンプの構成を示すブロック図である。
【図５】アナログ入力信号を一般の音量用ボリウムで可変する方法を示すブロック図である。
【図６】入力信号をデジタル化し、その振幅値を前記一般の音量用ボリウムで可変する方法を示すブロック図である。
【図７】典型的な従来技術の電子ボリウムの電気的構成を示すブロック図である。
【図８】電子ボリウムにおけるスイッチング部およびボリウム部の構成を具体的に示す図である。
【符号の説明】
１    デジタルアンプ（後段の増幅部）
２    ΔΣ変調部
３    ドライバ回路
４    スイッチング部
５    ローパスフィルタ
６    スピーカ
３１，４１    電子ボリウム（１ビット信号処理装置）
３２    第２のスイッチング部（信号レベル変換部、スイッチング手段）
３３    第２のボリウム部（信号レベル変換部、ボリウム手段）
３４    ボリウム指令部（制御手段）
３５    制御部（制御手段）
３６    第１のスイッチング部（もう１つの信号レベル変換部、スイッチング手段）
３７    第１のボリウム部（もう１つの信号レベル変換部、ボリウム手段）
３８    ΔΣ変調部
４２，５２    ディスク再生装置
４３    １ビット信号生成およびアッテネート処理部
４４    ＣＤ，ＳＡＣＤ再生ユニット
４５    ＳＡＣＤデコーダ
４６    マルチビットＤ／Ａコンバータ
４７    変換素子
４８    切換えスイッチ
【図１】
2004186820.tif 000003
【図２】
2004186820.tif 000004
【図３】
2004186820.tif 000005
【図４】
2004186820.tif 000006
【図５】
2004186820.tif 000007
【図６】
2004186820.tif 000008
【図７】
2004186820.tif 000009
【図８】
2004186820.tif 000010